(57)【要約】【課題】コーティング工程におけるコーティング液の乾燥が容易なファンを有する換気扇を得ること。【解決手段】吸込口及び吐出口が形成された箱状のボディと、回転により空気流を形成するファン４と、ファン４を収容し、ボディの内部に設置されて、空気流を吐出口へ導くファンケーシングとを有する換気扇であって、ファン４は、回転軸Ｃ上に中心を有する円上に互いに間隔を空けて設置された複数の翼３１と、複数の翼３１同士を外周側から覆って連結する補強リング３０と、翼３１の表面を覆うコーティング３３とを有し、補強リング３０の内側面は、回転軸に対して傾きを有する傾斜面である。【選択図】図５
2018200013.tif 000002
【特許請求の範囲】
【請求項１】
吸込口及び吐出口が形成された箱状の筐体と、
回転により空気流を形成するファンと、
前記ファンを収容し、前記筐体の内部に設置されて、前記空気流を前記吐出口へ導くファンケーシングとを有する換気扇であって、
前記ファンは、回転軸上に中心が位置する円上に互いに間隔を空けて設置された複数の翼と、複数の前記翼同士を外周側から覆って連結する補強リングと、前記翼の表面を覆うコーティングとを有し、
前記補強リングの内側面は、前記回転軸に対して傾きを有する傾斜面であることを特徴とする換気扇。
【請求項２】
前記傾斜面の前記回転軸に対する傾きは３°以上であることを特徴とする請求項１に記載の換気扇。
【請求項３】
前記ファンは、前記翼と前記補強リングとが一体構造であることを特徴とする請求項１又は２に記載の換気扇。
【発明の詳細な説明】
【技術分野】
【０００１】
本発明は、多翼式送風機を有する換気扇に関する。
【背景技術】
【０００２】
特許文献１に開示される送風装置のようなダクト用換気扇は天井に据付けられており、清掃が高所作業であることから、汚れが付着しにくい換気扇が求められている。そのため、特殊な液体をファンに塗布してファンにコーティングを施し、汚れの付着を低減することが試みられている。
【先行技術文献】
【特許文献】
【０００３】
【特許文献１】特開２００８−２６７２６５号公報
【発明の概要】
【発明が解決しようとする課題】
【０００４】
ファンにコーティングを施すことは、使用者にとっては汚れ付着低減により確実な換気が可能となり、換気扇の清掃回数が減るといったメリットがあるが、製造上ではファンのコーティング工程及びコーティング後の乾燥工程が発生するなど生産性が低下する要因となっており、生産性の高いファンが求められている。
【０００５】
本発明は、上記に鑑みてなされたものであって、コーティング工程におけるコーティング液の乾燥が容易なファンを有する換気扇を得ることを目的とする。
【課題を解決するための手段】
【０００６】
上述した課題を解決し、目的を達成するために、本発明は、吸込口及び吐出口が形成された箱状の筐体と、回転により空気流を形成するファンと、ファンを収容し、筐体の内部に設置されて、空気流を吐出口へ導くファンケーシングとを有する換気扇であって、ファンは、回転軸上に中心が位置する円上に互いに間隔を空けて設置された複数の翼と、複数の翼同士を外周側から覆って連結する補強リングと、翼の表面を覆うコーティングとを有する。補強リングの内側面は、回転軸に対して傾きを有する傾斜面である。
【発明の効果】
【０００７】
本発明によれば、コーティング工程におけるコーティング液の乾燥が容易なファンを有する換気扇を得られるという効果を奏する。
【図面の簡単な説明】
【０００８】
【図１】本発明の実施の形態１に係る換気扇の取付け状態を示す断面図
【図２】実施の形態１に係る換気扇の化粧グリルを省いた正面図
【図３】実施の形態１に係る換気扇の化粧グリルを省き端子カバーを開いた状態の正面図
【図４】実施の形態１に係る換気扇のファンの斜視図
【図５】実施の形態１に係る換気扇のファンの上面図
【図６】実施の形態１に係る換気扇のファンの断面図
【図７】実施の形態１に係る換気扇のファンの補強リングの詳細図
【図８】実施の形態１に係る換気扇のファンの補強リングのひけの概略図
【発明を実施するための形態】
【０００９】
以下に、本発明の実施の形態に係る換気扇を図面に基づいて詳細に説明する。なお、この実施の形態によりこの発明が限定されるものではない。
【００１０】
実施の形態１．
図１は、本発明の実施の形態１に係る換気扇の取付け状態を示す断面図である。図２は、実施の形態１に係る換気扇の化粧グリルを省いた正面図である。図３は、実施の形態１に係る換気扇の化粧グリルを省き端子カバーを開いた状態の正面図である。図４は、実施の形態１に係る換気扇のファンの斜視図である。図５は、実施の形態１に係る換気扇のファンの上面図である。実施の形態１に係る換気扇１００は、天井に設けられた開口を通じて天井裏の空間に設置され、室内外を連通させるダクト１４に室内側からダクト接続口を挿入して室内の空気を換気する。
【００１１】
換気扇１００は、吸込口６及び吐出口１０が形成された箱状の筐体であるボディ２と、換気する空気を流通させる換気駆動体である多翼式送風機１と、多翼式送風機１の一部であるファン４を収容し、ボディ２の内部に設置されて、ファン４が形成する空気流を吐出口１０へ導くファンケーシング５とを有している。多翼式送風機１は、モータ３と、モータ３の駆動軸に差込結合されたファン４とから構成されている。ファン４は、回転軸Ｃ上に中心が位置する円上に互いに間隔を空けて設置された複数の翼３１と、複数の翼３１同士を外周側から覆って連結する補強リング３０とを有している。換気扇１００は、ボディ２の側面から直角方向に延び吐出口１０をダクト１４に連通する位置まで延長するダクト接続枠８を有する。換気扇１００はファンケーシング５を始めとする内部部品が外部から見えないようにする意匠部品である化粧グリル１２を備える。化粧グリル１２は、本体取付用のスプリング１３を備えている。化粧グリル１２は、スプリング１３をファンケーシング５に備えられている化粧グリル取付用スプリング固定部７に引掛けることにより固定される。
【００１２】
ダクト接続枠８は、配管するダクト１４の径が異なっても対応できること、及びテーピングの作業性を考慮し、径の異なる段状に形成されている。ダクト接続枠８の内側には、風圧にて開閉するシャッタ９が設けられている。シャッタ９は換気扇１００の運転時には風圧で開き、停止時はシャッタ９の自重でダクト接続枠８を閉鎖する。シャッタ９を設けることで、換気扇１００の停止時に屋外からの外風が室内に侵入することは防止される。
【００１３】
ファンケーシング５には開閉可能な樹脂端子カバー１１が備え付けられている。樹脂端子カバー１１内には、外部電源電線を接続可能な電線接続装置２０が備え付けられている。ダクト１４は、屋外まで延びており建物の屋外外壁に備えたフードなどに連結され、住宅内の空気を換気する換気風路を形成している。
【００１４】
ボディ２は、底面が開放された箱型で、天面側にモータ３を備えている。ボディ２は、一側面に排気口２ｂが設けられており、排気口２ｂにはダクト接続枠８が接続される。ファンケーシング５は、主に多翼式送風機１を収納するとともに下面が開放されて吸込口６が形成されている。電線接続装置２０とモータ３とは、器内電線により電気的に接続されており、外部電源電線を通じて印加された電気が端子台を介し器内電線からモータ３に流れる。モータ３は、電気エネルギーをシャフトの回転運動に変換し回転運動をファン４に伝える。ファン４は、モータ３により回転駆動されることで空気流を形成する。ファン４には、矢印状の回転方向表示部３２により回転方向が示されている。ファンケーシング５は、多翼式送風機１によって吸込口６から吸われた空気が内壁に沿って排気口２ｂに至る排気風路を形成している。
【００１５】
排気風路を通って排気される空気は、ほこり及び湿気を含む場合が多く、経年的な使用によりファン４に汚れが付着していく。ファンケーシング５から排気される空気はファケーシング５の吸込口６を通過し、ファン４の翼３１間を通り排気される。したがって、ファン４の翼３１に汚れが付着すると、本来の目的である換気がされないことに加え、送風騒音が大きくなり、快適な生活環境の阻害要因となってしまう。そのため、換気扇１００は、汚れ付着の低減を目的とするコーティングをファン４に施している。すなわち、ファン４は、翼３１の表面を覆うコーティング３３を有する。
【００１６】
換気扇１００の製造工程においては、ファン４のコーティング液が乾くことなく放置されると、製造環境の埃が付着する。したがって、コーティング液に埃が付着することを防止するために、コーティング液を塗布した後に乾燥工程が必要となっている。乾燥工程はファン４を回転させることで、余分に付着したコーティング液を遠心力により飛散させてコーティング液の乾燥を促しているが、生産性向上のため、コーティング液を乾燥させるのに要する時間を短縮することが求められている。
【００１７】
図６は、実施の形態１に係る換気扇のファンの断面図である。図７は、実施の形態１に係る換気扇のファンの補強リングの詳細図であり、図６中のＡ部を拡大して模式的に示している。実施の形態１に係る換気扇１００のファン４は、翼３１をつなぐ補強リング３０の内側にファン４の外形方向に向かって傾斜面を設けている。すなわち、補強リング３０の内側面は、回転軸Ｃに対して傾きを有する傾斜面である。したがって、補強リング３０の内側面は、上端部と下端部との間で回転軸Ｃからの距離が連続的に変化している。補強リング３０は翼３１をつなぎ、高回転時においても翼形状を保持させる役割があり、高回転時の遠心力に耐えうる強度を実現する幅及び厚さを持っている。
【００１８】
傾斜面を持たないファンでは、高回転時に耐えうる幅のある補強リングを付加すると、ファンの成形時に補強リングの内側にはひけによるくぼみが少なからず発生する。コーティング液の乾燥工程においては同一方向の回転では一定方向の遠心力がかかるのみであり、くぼみに入り込んだコーティング液を飛散させるために、ファンの正回転と逆回転とを交互に繰り返し行っている。図８は、実施の形態１に係る換気扇のファンの補強リングのひけの概略図である。実施の形態１に係る換気扇１００のファン４は、補強リング３０の内側に傾斜面を設けているため、ひけ３４によるくぼみが発生しても高回転の遠心力により容易に液が掻き出され、内側面が傾斜していないファンと比較してコーティング液が飛散しやすくなる。すなわち、補強リング３０の内側面に傾斜を設けることにより、ファン４の回転によってコーティング液に遠心力が作用すると、コーティング液は斜面に沿って矢印Ｂ方向に移動するため、コーティング液はひけ３４に滞留せずに飛散する。したがって、ファンの正回転と逆回転とを交互に繰り返し行う手法と同様の乾燥能力を、ファン４の正回転又は逆回転だけで得られる。傾斜面は、３°以上が望ましく、５°以上であればコーティング液の飛散が安定して行える。
【００１９】
さらに、実施の形態１に係る換気扇１００のファン４に設けた補強リング３０内側の傾斜は、ファン４の外形方向に向かった傾斜であるため、金型射出成型によるプラスチックの一体成型が可能となっている。
【００２０】
上記の説明においては、補強リング３０の内側に反モータ側が広がる傾斜面を設けているが、モータ側が広がる傾斜面を設けても、余分なコーティング液が飛散しやすくなる効果は同様に得られる。
【００２１】
実施の形態１に係る換気扇１００は、ファン４の表面にコーティング３３を施す際に、コーティング液が乾燥しやすいため、乾燥時間を短縮して生産性を向上させることができる。
【００２２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２３】
１  多翼式送風機、２  ボディ、２ｂ  排気口、３  モータ、４  ファン、５  ファンケーシング、６  吸込口、７  化粧グリル取付用スプリング固定部、８  ダクト接続枠、９  シャッタ、１０  吐出口、１１  樹脂端子カバー、１２  化粧グリル、１３  スプリング、１４  ダクト、２０  電線接続装置、３０  補強リング、３１  翼、３２  回転方向表示部、３３  コーティング、３４  ひけ、１００  換気扇。
【図１】
2018200013.tif 000003
【図２】
2018200013.tif 000004
【図３】
2018200013.tif 000005
【図４】
2018200013.tif 000006
【図５】
2018200013.tif 000007
【図６】
2018200013.tif 000008
【図７】
2018200013.tif 000009
【図８】
2018200013.tif 000010